(57)【特許請求の範囲】
【請求項１】
耐熱性のある一層あるいは二層以上の材料からなる柔軟火床面状体と、  前記柔軟火床面状体を支持するための支持台と、を備えた可搬焚き火台であって、  前記柔軟火床面状体の端部は、懸架線を巻き込んでおり、前記柔軟火床面状体は、前記懸架線を介して前記支持台に吊るされるように支持されていることを特徴とする可搬焚き火台。
【請求項２】
前記柔軟火床面状体の端部は、中空筒を巻き込んでおり、前記懸架線は、前記中空筒内を挿通されていることを特徴とする請求項１に記載の可搬焚き火台。
【請求項３】
煮炊きする容器を支える五徳を前記支持台の上部に一時固定可能であることを特徴とする請求項１又は２に記載の可搬焚き火台。
【請求項４】
耐熱性のある一層あるいは二層以上の材料からなる柔軟火床面状体と、  前記柔軟火床面状体を支持するための支持台と、  筒形状を有すると共に、軸方向に沿って開放空間が形成されたかしめ部品と、を備えた可搬焚き火台であって、  前記柔軟火床面状体の端部は、前記開放空間に配置され、前記開放空間を狭めることにより挟持されており、  前記筒形状を有するかしめ部品の内部空間には、懸架線が挿通されており、  前記柔軟火床面状体は、前記懸架線を介して前記支持台に吊るされるように支持されていることを特徴とする可搬焚き火台。
【請求項５】
煮炊きする容器を支える五徳を前記支持台の上部に一時固定可能であることを特徴とする請求項４に記載の可搬焚き火台。
【請求項６】
耐熱性のある一層あるいは二層以上の材料からなる柔軟火床面状体と、  前記柔軟火床面状体を支持するための支持台と、を備えた可搬焚き火台であって、  前記柔軟火床面状体の端部には、鳩目孔が形成され、前記鳩目孔には懸架線が挿通されており、  前記柔軟火床面状体は、前記懸架線を介して前記支持台に吊るされるように支持されていることを特徴とする可搬焚き火台。
【請求項７】
煮炊きする容器を支える五徳を前記支持台の上部に一時固定可能であることを特徴とする請求項６に記載の可搬焚き火台。
【請求項８】
焚き火台の支持台に吊るされるように支持される耐熱性のある一層あるいは二層以上の材料からなる柔軟火床面状体であって、  燃焼物を載置して加熱される本体部と、  前記本体部の周囲に位置する端部と、を備え、  前記端部は、前記支持台による支持に資する懸架線を巻き込んでいることを特徴とする柔軟火床面状体。
【請求項９】
前記柔軟火床面状体の端部は、中空筒を巻き込んでおり、前記懸架線は、前記複数の中空筒内を挿通されていることを特徴とする請求項８に記載の柔軟火床面状体。
【請求項１０】
焚き火台の支持台に吊るされるように支持される耐熱性のある一層あるいは二層以上の材料からなる柔軟火床面状体であって、  燃焼物を載置して加熱される本体部と、  前記本体部の周囲に位置する端部と、  筒形状を有し、軸方向に沿って開放空間が形成されたかしめ部品と、を備え、  前記端部は、前記開放空間に配置され、前記開放空間を狭めることにより挟持されており、  前記筒形状を有するかしめ部品の内部空間には、前記支持台による支持に資する懸架線が挿通可能であることを特徴とする柔軟火床面状体。
【請求項１１】
焚き火台の支持台に吊るされるように支持される耐熱性のある一層あるいは二層以上の材料からなる柔軟火床面状体であって、  燃焼物を載置して加熱される本体部と、  前記本体部の周囲に位置する端部と、を備え、  前記端部には、鳩目孔が形成され、前記鳩目孔には、前記支持台による支持に資する懸架線が挿通可能であることを特徴とする柔軟火床面状体。
【発明の詳細な説明】
【技術分野】
【０００１】  本発明は、折りたたみ、運搬が容易な焚き火台に関するものである。
【背景技術】
【０００２】  人間の野外でのレクリエーション活動が盛んになるにつれ、野外での煮炊きを行う行為が一般化しつつある。その際、環境美化の観点から直火を行わないことが一般化し、同時にその多様性が増すにつれ、とくに軽く、収納体積が小さい火床の需要が高まっている。従来も、いわゆるバーベキューの火床には、鉄やステンレススチールを用いた剛性の高い物や、金属線を用いた網などはあったが、重量、運搬時の体積などに問題があった。自動車などで運搬する場合はそれでも容認できるが、小さなバッグに収納して持ち運びできる軽くて、折りたたみ体積の小さなものはなかったと言える。本発明は耐熱性の高い柔軟な火床を用い、その火床を高い強度で安定的に支持する技術を提供するものである。
【発明の概要】
【０００３】  解決しようとする問題点は、融点の高い石英を主成分とするシリカ繊維の織布を用いて、この織布の強度を損なうことなく、懸架し、かつ小さく折りたためる構造を提供するものである。ただ、本発明はシリカ繊維に限定するものではなく、直火に耐える耐熱性をもち、かつ折りたたみできる柔軟な性質を持つ物であれば材料の種類を問わない。
【課題を解決するための手段】
【０００４】  図１に本発明の主要構造に一つを簡単に示した。シリカなどの耐熱性の高い繊維を織った布、すなわち柔軟火床面状体１を、この織布に穴を開けることなくアルミニウムなどの金属で作った中空の保持筒３に巻き付けて縫い込み、この中空の保持筒３に通したステンレススチールなどの懸架線４の四隅を支持台２に引っかけて保持するものである。
【発明の効果】
【０００５】  この柔軟火床面状体１に薪や炭などを載せ火を焚くのであるが、その薪や炭などの重量は支持台２を拡げる方向に働くので、全体が崩れることなく、安定した構造を保つ。また、保持筒３を内蔵した四辺は同じ高さに保持されるので、柔軟火床面状体１上で発生した灰や薪や炭の小片などは、かなりの強さの風にも飛びちることなく留まっている。四辺が同じ高さに保持されている効果である。【０００６】  さらに、柔軟火床面状体１は熱伝導率の低いシリカ繊維でできており、同時に火床と支持台２は懸架線４のみで接しており熱伝導が起こりにくく、支持台２の温度上昇が低く抑えられる。これにより使用後に冷ます時間も短かく、収納する手間も少ない。金属を主体とする一般的な火床を用いたバーベキューなどでは使用後の収納に手間がかかるのでこの点でも有利である。
【図面の簡単な説明】
【０００７】
【図１】本発明の主要な実施例の説明図である。（実施例１）
【図２】本発明の柔軟火床の支持構造を示した説明図である。
【図３】本発明の柔軟火床の第二の支持構造を示した説明図である。（実施例２）
【図４】本発明の柔軟火床の第三の支持構造を示した説明図である。
【図５】本発明の懸架線の接続法方法の一つを示した説明図である。（実施例３）
【図６】本発明の折りたたみ支持台を示した説明図である。
【図７】本発明の構造を折りたたんだ形状を示した説明図である。
【図８】本発明の一体型の枠の形状を示した説明図である。（実施例４）
【図９】付加するアタッチメントの一種を示した説明図である。
【図１０】付加するアタッチメントの固定法の一つを示した説明図である。
【図１１】付加するアタッチメントの固定法の別の一つを示した説明図である。
【図１２】付加するアタッチメントの他の一種を示した説明図である。
【発明を実施するための形態】
【実施例１】
【０００８】  図１は本発明の具体的な全体像の一つを示す構成図であって、柔軟火床面状体１、支持台２、保持筒３および懸架線４の主要部品で構成される。【０００９】  特に純粋な石英を主成分とするシリカの細線を織った布すなわちシリカ繊維の柔軟火床面状体１は、耐熱性は高いが、必ずしも部分的な機械的応力集中に強くはなく、傷つくと破れやすい。したがって、この破れやすい柔軟火床１に機械的応力集中を起こしやすい穴を開けることなく保持する構造が重要で、図２に示すように、本発明は剛性の高いアルミニウムなどの金属の中空円筒を保持筒３とすることによりこの問題を解決した。【００１０】  すなわち、柔軟火床面状体１を保持筒３に巻き付けて折り返し、折り返した部分をこれも耐熱性の高いシリカ繊維か、あるいは耐熱性の高い、たとえばステンレス繊維の縫製糸５で縫い合わせる。保持筒３が柔軟火床面状体１の各辺それぞれ個別に取り付けられ、柔軟な懸架線で連結されていることにより、火床の折り畳み性を損なうことなく以下に述べる効果を発揮することが可能となる。【００１１】  この保持筒３がない場合、ステンレススチールなどの懸架線４が直接柔軟火床面状体１に当たって擦れるだけでなく、四辺が湾曲して、炭や薪などが外部にこぼれやすくなって、危険である。また火床面状体１と支持台２を懸架線４にて連結することにより、互いの熱伝導性を低くすることが可能になり、支持台の変形、変質の防止、さらには使用後の冷却時間の短縮という効果を生む。
【実施例２】
【００１２】  また、図３に示すように、柔軟火床面状体１の隅を剛性のある金属のかしめ部品６によってかしめ、かしめ部品６を釣りさげて支持台２に固定する。この構造の場合、縫製作業が省略できるので、製造工程の簡略化は出来るが、図２に示した折り返し構造に比べて引っ張り耐性は多少低下する可能性がある。
【実施例３】
【００１３】  シリカ繊維などの柔軟火床面状体１は一般に傷に弱いが、適切な直径、加工工程を選べば、図４に示すように、鳩目を隅に設けて、この鳩目に懸架線４を通して引っ張る事もできる。この場合も図１２に示した縫製工程は省略できるので、生産性は上がるが、柔軟火床面状体１への穿孔と鳩目をカシメる強度などを適切に選ぶ必要がある。強度が強すぎれば、鳩目が柔軟火床面状体１を圧縮する部分の機械的強度が低下するし、弱すぎれば柔軟火床面状体１の一部分に大きな引っ張り応力が発生し、機械的強度が低下する。【００１４】  実施例１と２の場合に、懸架線４を用いたが、懸架線４は中空の保持筒３に通すため、輪の一部が切断されている必要がある。保持筒３に通した後、図５に示すように、懸架線４の両端に接続した雄と雌のねじで固定する。または懸架線４の両端を輪状にしておき、取り外し可能な接続リング１０にて連結する。柔軟火床面状体１は長時間の使用で強度が劣化するので、このような簡単に取り外すことができる構造は消耗した柔軟火床面状体１を容易に交換するためにで重要である。【００１５】  柔軟火床面状体１を吊る懸架線４を固定する支持台２もまた折りたためる必要があり、図６に示したような折りたたみ、かつ分解できる構造としてその機能を実現した。分解した支持台は折り畳み回転軸１１により変形させて折りたたみ、収納サイズを縮小することを可能とする。【００１６】  結果として、図７に示したような折りたたんだ形状が実現できる。懸架線４の使用状態での寸法が４０ｃｍ×４０ｃｍで、支持台の高さが２８ｃｍ、柔軟火床１の厚さが約５ｍｍのとき、長さ３５ｃｍ、直径９ｃｍの円筒筒にすっぽり納めることがが出来る。この場合、重量を約１ｋｇに納めることができた。
【実施例４】
【００１７】  以上、本発明の他の実施例として、柔軟な懸架線４による吊り下げ構造を示したが、図８に示すような剛体である一体枠９を用いた構造を挙げる。この場合でも、図２に示した折り返して巻き付ける構造、図３に示したかしめを用いる構造、図４に示した鳩目をもちいる方法を用いることができる。
【実施例５】
【００１８】  以上、本発明の他の実施例として、柔軟火床１に石英などのシリカ繊維を織った布をもちいたが、金属の細線による網を用いることも可能である。この場合火が直接金属の細線を熱するので、ステンレススチールでも長時間の使用に絶えず、より耐熱性の高い、たとえばニクロム線などを用いる必要がある。
【実施例６】
【００１９】  さらに、本発明の他の実施例として、機械的強度の相対的に弱い柔軟火床面状体１を補強するため、金属の網あるいは別の不燃布で裏打ちする構造を提供する。この場合、機械的強度は金属網あるいは不燃布に持たせることができるから、石英などのシリカ繊維を織った布を薄くでき、かつより重い炭や薪を載せることができる。【００２０】  本発明で用いるシリカ繊維は下に熱が激しく伝わらないように十分厚いので、不燃布はシリカ繊維ほどの耐熱性は不必要で、主に機械的強度を増大する目的をもつ。実際には、不燃性カーテン布地などを流用することもできる。【００２１】  この場合も、図１に示した柔軟な懸架線４による吊り下げ構造と図８に示すような剛性体を用いた構造のどちらも用いることができ、かつ図２に示した折り返して巻き付ける構造、図３に示したかしめを用いる構造、図４に示した鳩目をもちいる方法を用いることができる。【００２２】  また、以上の本発明の説明として懸架線４にステンレススチール線の連続体を用いたが、鎖を用いても同じように本発明を実施できる。【００２３】  以上本発明の主要構造を示したが、小さく折りたたみでき、かつ軽いという特徴に加え、図９に示すような五徳を載せて、やかんや鍋、あるいは飯ごうを載せることもできる。この場合、使用中に五徳が外れると、きわめて危険な状態になることが想定されるので、図１０、図１１に示すように、一時的に支持台２に固定できる構造が不可欠である。【００２４】  すなわち、図１０に示すように支持台の先端部分に五徳固定用の固定穴２１を設け、この穴に五徳の先端に固定突起２２を設け、この固定突起２２のくびれ部分が、固定穴２１の端に引っかかり抜けないようにする。【００２５】  また、図１１に示すように、固定穴２１と五徳の足の先端に設けた穴を通して固定ねじ２３で固定すれば、着脱の手間は生じるが、一層安全である。【００２６】  また、汎用的な五徳の代わりに図１２に示すような串焼き台３１を載せれば串焼きもでき、その用途は大変広い。【００２７】  以上、本発明の実施例はほぼ正方形の柔軟火床面状体を用いた例を示したが、使用目的によっては細長い長方形、さらには三角形や五角以上の多辺形の場合が適する場合もあり、同様に本発明を適用できる。たとえばバーベキューで、串焼きなどを沢山横に並べて同時に焼く場合には、長方形が便利である。【００２８】  多辺形の中で三角形は支持台が最も小さくて軽いという特長を持ち、特に重量を軽減したい場合に適する。また、四辺形は支持台を置く面に凹凸がある場合に、中の一本が宙に浮き、不安定になる場合があるが、三角形の頂点は一平面を構成するので、支持台を置く面が必ずしも平面である必要はなく、支持が安定する。【００２９】  五角形以上の多辺形では、支持台全体の剛性が高まるので、重量のある可燃物を載せる場合に有利であるだけでなく、柔軟火床面状体の端の突出部分が少ないので、柔軟火床面状体の面積を有効利用する点で優れている。【００３０】  また、正方形を含む多辺形の場合に、辺の数と支持台の足の数を合致させる必要はなく、六本の支持台の足に三角形の柔軟火床面状体を載せてもよいし、四角形の支持台に八角形の柔軟火床面状体を載せることもできる。用途に応じて柔軟火床面状体の形状と支持台の足の数を適宜選べばよい。
【産業上の利用可能性】
【００３１】  以上、本発明をいわゆるキャンピング用品の一つとしての用途を挙げたが、可搬して容易に火をたける特長を生かせば、野外で数１００℃程度の熱を必要とする用途に用いることができる。たとえば、家畜に刻印する焼きごてを暖める焚き火台、電気のない野外で半田ごてを焼く焚き火台などである。
【符号の説明】
【００３２】１  柔軟火床面状体
２  支持台
３  保持筒
４  懸架線
５  縫製糸
６  かしめ部品
７  鳩目
８  接続ねじ
９  一体枠
１０  接続リング
１１  折りたたみ回転軸
２０  五徳
２１  固定穴
２２  固定突起
２３  固定ねじ
３１  串焼き台
【図１】
0005812384.tif 000002
【図２】
0005812384.tif 000003
【図３】
0005812384.tif 000004
【図４】
0005812384.tif 000005
【図５】
0005812384.tif 000006
【図６】
0005812384.tif 000007
【図７】
0005812384.tif 000008
【図８】
0005812384.tif 000009
【図９】
0005812384.tif 000010
【図１０】
0005812384.tif 000011
【図１１】
0005812384.tif 000012
【図１２】
0005812384.tif 000013